(57)【要約】【課題】従来、創作した著作物を保管する際には創作者自身もしくは取引先や知人に依頼しての保管が一般的であり、保管する著作物自体の内容も開示した容易に閲覧できる状態での保管が多かった。また著作物を外部へ提供する際も著作物を保管している著作物の創作者自身、取引先、知人関係から実施することが多かった。【解決手段】特定多数が利用する著作物匿名相互保管機能と著作物匿名相互提供機能を具備したアプリケーションサービスプロバイダサイトを利用することにより、ユーザが創作した著作物の保管を管理センタに自動振り分けされたサイトユーザ同士相互に匿名で一定期間保管し合うこと。また、特意のユーザからサイト管理センタに保管著作物の提供要望をした際に、他のユーザが保管している当該著作物を迅速に特意のユーザ指定のメールアドレスに匿名のまま第３者である他の会員とサイト管理センタから提供するシステムを提供することで解決する。【選択図】図１
2007241975.tif 000002
【特許請求の範囲】
【請求項１】
ユーザが自身の創作著作物の保管を、サイト管理センタに自動振り分けされた同サイトの他の複数のユーザの創作著作物との匿名による相互保管機能を有した、特定多数が利用する著作物匿名相互保管機能と著作物匿名相互提供機能を具備したアプリケーションサービスプロバイダサイト。
【請求項２】
ユーザが自身の創作著作物の保管を、サイト管理センタに自動振り分けされた同サイトの他の複数のユーザの創作著作物との匿名による相互保管機能を使って実施する際に、サイト管理センタのサーバ内でユーザの当該著作物の創作者名と著作物内容を閲覧不可、修正不可、改変不可、印刷不可のセキュリティ設定を自動実施する機能を保有する、請求項１記載の特定多数が利用する著作物匿名相互保管機能と著作物匿名相互提供機能を具備したアプリケーションサービスプロバイダサイト
【請求項３】
サイト管理センタに自動振り分けされ匿名による相互保管機能を利用して、ユーザが保管している他の複数のユーザの著作物について、他の複数のユーザの内の一人から管理センタを通じ当該著作物の提供要望があった際に、他の複数のユーザの内の一人から指定されたメールアドレスへユーザから送信提供する機能を有する、請求項２記載の特定多数が利用する著作物匿名相互保管機能と著作物匿名相互提供機能を具備したアプリケーションサービスプロバイダサイト。
【請求項４】
サイト管理センタに自動振り分けされ匿名による相互保管機能を利用して、他の複数のユーザによって保管されているユーザ自身の著作物について、ユーザ自身から管理センタを通じ当該著作物の提供要望をした際に、指定するメールアドレスへ他の複数のユーザから当該著作物が送信提供される機能を有する、請求項２記載の特定多数が利用する著作物匿名相互保管機能と著作物匿名相互提供機能を具備したアプリケーションサービスプロバイダサイト。
【請求項５】
サイト管理センタに対して、サイト管理センタに自動振り分けされ匿名による相互保管機能を利用して、ユーザが保管している他の複数のユーザの著作物について他の複数のユーザの内の一人から管理センタを通じ当該著作物の提供要望をする際と、保管されているユーザ自身の著作物についてユーザ自身から管理センタを通じ当該著作物の提供要望をする際に、管理センタが予備で保管する他のユーザが保管するものと同一のユーザの当該著作物を、著作物を提供要望する当該ユーザ指定のメールアドレスへ管理センタから送信提供する機能を有する、特定多数が利用する請求項２記載の著作物匿名相互保管機能と著作物匿名相互提供機能を具備したアプリケーションサービスプロバイダサイトの提供。
【請求項６】
サイト管理センタに対して、サイト管理センタに自動振り分けされ匿名による相互保管機能を利用して、ユーザが保管している他の複数のユーザの著作物について他の複数のユーザの内の一人から管理センタを通じ当該著作物の提供要望をする際と、保管されているユーザ自身の著作物についてユーザ自身から管理センタを通じ当該著作物の提供要望をする際に、管理センタから当該著作物を匿名で相互保管している該当ユーザに保管著作物の提供連絡と提供先のメールアドレスを当該ユーザに通知する機能を有した、請求項２記載の特定多数が利用する著作物匿名相互保管機能と著作物匿名相互提供機能を具備したアプリケーションサービスプロバイダサイト。
【請求項７】
ユーザが自身の創作著作物の保管を、サイト管理センタに自動振り分けされた同サイトの他の複数のユーザの創作著作物との匿名による相互保管機能を使って完了した際に、サイト管理センタからユーザへ当該著作物の匿名相互保管機能の利用証の発行を自動実施する機能を保有する、請求項２記載の特定多数が利用する著作物匿名相互保管機能と著作物匿名相互提供機能を具備したアプリケーションサービスプロバイダサイト。
【発明の詳細な説明】
【技術分野】
【０００１】この発明は、著作物の保管方法と提供方法に関する。
【背景技術】
【０００２】  従来、創作した著作物を保管する際には創作者自身もしくは取引先や知人に依頼しての保管が一般的であり、保管する著作物自体の内容も開示した容易に閲覧できる状態での保管が多かった。また著作物を外部へ提供する際も著作物を保管している著作物の創作者自身、取引先、知人関係から実施することが多かった。
【発明の開示】
【発明が解決しようとする課題】
【０００３】  そこで本発明では創作した自身の著作物を保管する際に旧知の取引先や知人に依頼する必要がなく、保管する著作物自体の内容を閲覧できない状態で著作物の保管を実現すること、要は著作権法の著作者人格権の公表権、氏名表示権、同一性保持権が守られた状態での保管と、保管している著作物を外部へ提供する際にも先の著作者人格権が守られたままの著作物の内容を開示していない状態で保管している著作物の提供を実現する。
【課題を解決する為の手段】
【０００４】  本発明においては、インターネット上で特定多数が利用する著作物匿名相互保管機能と著作物匿名相互提供機能を具備したアプリケーションサービスプロバイダサイトを提供することで先の課題解決を実現する。
【０００５】  特定多数が利用する著作物匿名相互保管機能と著作物匿名相互提供機能を具備したアプリケーションサービスプロバイダサイトにおいて、ユーザが創作した著作物の保管をサイト管理センタに自動振り分けされた他の複数のサイトユーザ同士相互に匿名で一定期間保管し合うことによって匿名状態で相互に著作物を保管することができる。
【０００６】  ユーザが自身の創作著作物の保管を、サイト管理センタに自動振り分けされた同サイトの他の複数のユーザの創作著作物との匿名による相互保管機能を使って実施する際に、サイト管理センタのサーバ内でユーザの当該著作物の創作者名と著作物内容を閲覧不可、修正不可、改変不可、印刷不可のセキュリティ設定を自動実施する機能を設定することで著作物の内容と創作者名を匿名の状態で保管することができる。
【０００７】  サイト管理センタに自動振り分けされ匿名による相互保管機能を利用して、ユーザが保管している他の複数のユーザの著作物について、他の複数のユーザの内の一人から管理センタを通じ当該著作物の提供要望があった際に、他の複数のユーザの内の一人から指定されたメールアドレスへユーザから当該著作物を匿名状態で送信提供することで、著作物内容と創作者名を匿名の状態のまま提供することができる。
【０００８】  サイト管理センタに自動振り分けされ匿名による相互保管機能を利用して、他の複数のユーザによって保管されているユーザ自身の著作物について、ユーザ自身から管理センタを通じ他の複数のユーザに対し当該著作物の提供要望をした際に、ユーザが指定するメールアドレスへ他の複数のユーザから当該著作物が匿名状態で送信提供されることで、著作物内容と創作者名を匿名状態のまま提供を受けることができる。
【０００９】  サイト管理センタに対して、サイト管理センタに自動振り分けされ匿名による相互保管機能を利用して、ユーザが保管している他の複数のユーザの著作物について他の複数のユーザの内の一人から管理センタを通じ当該著作物の提供要望があった際と、他の複数のユーザによって保管されているユーザ自身の著作物についてユーザ自身から管理センタを通じ他の複数のユーザに当該著作物の提供要望をした際に、管理センタが予備で保管する当該著作物を当該ユーザが提供要望する当該ユーザ指定のメールアドレスへ管理センタから送信提供することで、著作物の提供要望をしたユーザに対して他のユーザが保管しているものと同一の保管著作物のユーザ指定のメールアドレスへの複数の著作物保管先からの提供が可能になる。
【００１０】  サイト管理センタに対して、サイト管理センタに自動振り分けされ匿名による相互保管機能を利用して、ユーザが保管している他の複数のユーザの著作物について他の複数のユーザの内の一人から管理センタを通じ当該著作物の提供要望をする際と、保管されているユーザ自身の著作物についてユーザ自身から管理センタを通じ当該著作物の提供要望をする際に、管理センタから当該著作物を匿名で相互保管している該当ユーザに保管著作物の提供連絡と提供先のメールアドレスを当該ユーザに通知する機能を有することで、相互に保管している当該著作物の迅速な提供ができる。
【００１１】  ユーザが自身の創作著作物の保管を、サイト管理センタに自動振り分けされた同サイトの他の複数のユーザの創作著作物との匿名による相互保管機能を使って完了した際に、サイト管理センタからユーザへ当該著作物の匿名相互保管機能の利用証の発行を自動実施する機能を利用し、利用証を自身の判断で活用することにより、創作著作物の外部からの無断使用などを抑制する作用がある。
【発明の効果】
【００１２】  上述したように、従来創作した著作物を保管する際には創作者自身もしくは取引先や知人に依頼しての保管が一般的であった。本発明ではこの著作物の保管に関し、旧来の人間関係や保管場所に依存しない著作物の保管が正確かつ迅速に実現できる。
【００１３】  さらに、保管する著作物自体の内容も開示していない状態で保管ができるので、著作権法の著作者人格権に明記されている、公表権と氏名表示権と同一性保持権の保護も同時に実現できる。
【００１４】  また必要時のユーザ自身の著作物の提供も本人直接の利害関係人以外の人間から善意の第３者的な立場で複数の提供元から当該著作物が提供されるので、当該著作物を取り巻くビジネス上のトラブル回避や当該著作物の創作者であることの正当な立証がし易くなる。
【発明を実施するための最良の形態】
【００１５】  以下、本発明の実施の形態を図１〜図７に基づいて説明する。図３において、本サイトの利用希望者（Ｃ）が、本サイト（４）にインターネット（Ｎ）を経由し自身のパソコン端末（３）でアクセスする。サイト（４）内においてサイトシステム利用希望者用に表記された画面指示に従い、利用規約に同意した後、氏名・住所・メールアドレス・自身のホームページ情報等の所定記入必要事項を入力する。これをサイト管理センタに送信しユーザ登録を実施する。【００１６】  図４に示す通り、本発明サイトの著作物匿名相互保管と著作物匿名相互保管提供システムの新規ユーザ登録から著作物の匿名相互保管完了までのユーザ端末画面表示の指示に従い、この後文書・企画書・絵・写真・動画等のユーザ自身の創作著作物の保管をサイト管理センタの指示に従い実施する。【００１７】  以下詳述する。図２に示すユーザＡ（Ａ）は保管したいユーザＡの著作物（Ｘ）を、このときに固定している媒体ソフトのまま、サイト指定のメールアドレスに送信して実施する。もしくはサイトの指示に従い所定箇所にアップロードして著作物の送信を完了する。【００１８】  ユーザが送信もしくはアップロードした保管したいユーザＡの著作物（Ｘ）は、図３の通り、サイト内サーバに具備する著作物セキュリティ設定手段（１４）の文書ファイル交換フォーマットで閲覧不可、改変不可、印刷不可の状態にセキュリティ設定され固定される。【００１９】  固定された当該著作物には識別ＩＤ番号が振り分け付与される。サイト内においてユーザＡ（Ａ）の個別情報と保管実施されたユーザＡの著作物（Ｘ）が各々のＩＤで認識登録され記録管理される。【００２０】  ユーザＡ（Ａ）の個別情報と保管実施されたユーザＡの著作物（Ｘ）が各々のＩＤで認識登録され記録管理された後、管理センタ内の図３のユーザと保管著作物の照合手段（１０）によって、ユーザと当該著作物の括り付けが実施される。【００２１】  括り付け完了後、ユーザ端末に対しサイト管理センタから保管完了の確認通知と当該著作物のＩＤ番号が付与される。【００２２】  保管完了の確認通知と同時に、管理センタの匿名著作物相互保管振り分け手段（１２）で自動振り分け選択された、相互保管をおこなうサイトの他のユーザＢ（Ｂ）の著作物が、パスワードでの開封機能付きの閲覧できないセキュリティ設定された状態で、図３に示す通り、サイト管理センタで予備保管しているユーザＢの著作物（Ｙ３）が管理センタからメール送信される。もしくはサイトの指示に従い所定箇所にアクセスし相互保管をおこなうサイトの他のユーザＢ（Ｂ）のサイト管理センタが予備保管しているユーザＢの著作物（Ｙ３）をダウンロードする。【００２３】  ユーザＡ（Ａ）は自身のユーザ端末Ａ（１）にフォルダを作成し、サイト管理センタが予備保管しているユーザＢの著作物（Ｙ３）をそのままの状態で保管する。【００２４】  匿名相互保管機能により自身のユーザ端末Ａ（１）に保管されたサイト管理センタが予備保管しているユーザＢの著作物（Ｙ３）は保管したユーザＡ（Ａ）のユーザ端末Ａ（１）内で、匿名保管しているユーザＢの著作物（Ｙ２）として保管される。この相互保管情報と共にサイトのサーバ内の著作物情報ＤＢ（���）に保管記録される。このときの一連の手順は図６に示す通りである。【００２５】  管理センタで自動振り分け選択された、ユーザＡの著作物（Ｘ）と相互保管をおこなうサイトの他のユーザＢ（Ｂ）のユーザ端末Ｂ（２）には、サイト管理センタから、パスワードでの開封機能付きの閲覧できない状態のキュリティ設定されたサイト管理センタが、予備保管しているユーザＡの著作物（Ｘ３）が自動メール送信される。【００２６】  サイト管理センタから送信された予備保管しているユーザＡの著作物（Ｘ３）をユーザＢ（Ｂ）がユーザ端末Ｂ（２）にフォルダを作成しそのまま保管する。これでユーザ端末Ｂ（２）には匿名保管しているユーザＡの著作物（Ｘ２）として相互保管されることになる。【００２７】  これで、保管したいユーザＡ（Ａ）のユーザＡの著作物（Ｘ）は原本がユーザ（Ａ）のユーザ端末Ａ（１）にあり、閲覧不可、改変不可、修正不可、印刷不可の状態にセキュリティ設定され固定された著作者が誰なのかわからない匿名状態と著作物内容を開示していない容易に閲覧できない状態で、他のユーザＢ（Ｂ）のユーザ端末Ｂ（２）に匿名保管しているユーザＡの著作物（Ｘ２）として保管される。【００２８】  またサイト管理センタのサーバ内の著作物情報ＤＢ（６）には他のユーザＢ（Ｂ）のユーザＢ端末（２）に保管されたものとまったく同一の著作物が予備保管しているユーザＡの著作物（Ｘ３）として予備保管される図２の状態になる。ユーザＡ（Ａ）からみると保管したいユーザＡの著作物（Ｘ）とまったく同一のものが、インターネットを介し本発明サイトを利用することにより、ほぼ同時に他のユーザＢ（Ｂ）のユーザ端末Ｂ（２）とサイト管理センタのサーバ内（Ｓ）に保管されることになる。【００２９】  また図２であきらかなように、他のユーザＢ（Ｂ）に関してもユーザＡ（Ａ）とほぼ同時に同様の機能を保有することになる。【００３０】  さらに、本サイトユーザが著作物匿名相互提供機能を利用する際には、ユーザＡ（Ａ）自らがユーザ端末Ａ（１）からインターネット（Ｎ）を通じ本サイト管理センタ（４）にアクセスして実施する。【００３１】  ユーザ（Ａ）は保管されている自身の著作物の提供要望をサイト管理センタ所定の手続きに沿っておこなう。【００３２】  図５に示すように、まずユーザＩＤとパスワードを入力しユーザ（Ａ）の保管著作物管理画面を開ける。【００３３】  ここでは保管されている自身のユーザＡの著作物（Ｘ）の著作物保管番号と送信提供してほしいメールアドレス情報を入力し、著作物提供請求をインターネットを通じてサイト管理センタに送信する。【００３４】  著作物提供請求を受信したサイト内の図３の保管著作物提供手段（１８）が、正規の請求であることを識別確認する。正規の請求と確認した後にユーザ（Ａ）のユーザＡの著作物（Ｘ）を相互保管しているサイトの他のユーザを検索する。【００３５】  図７の通り、検索したサイトの他のユーザＢ（Ｂ）のユーザ端末Ｂ（２）のメールアドレスに対して、ユーザ（Ａ）の保管著作物提供請求通知が管理センタから著作物保管番号と送付先メールアドレス情報を付加してインターネット（Ｎ）を通じ自動送信される。【００３６】  保管著作物の提供請求通知を���信した他のユーザ（Ｂ）は、サイトからの指示に従いフォルダに保管しているユーザ（Ａ）の当該著作物である匿名保管しているユーザＡの著作物（Ｘ２）を著作物保管番号で検索する。【００３７】  またこの時、ユーザＢ（Ｂ）の他にユーザ（Ａ）のユーザＡの著作物（Ｘ）を相互保管している、ユーザＺ（Ｚ）のユーザ端末Ｚ（２０）にも同時にユーザ（Ａ）の保管著作物提供請求通知が管理センタから著作物保管番号と送付先メールアドレス情報を付加してインターネット（Ｎ）を通じ自動送信される。【００３８】  保管著作物の提供請求通知を受信したユーザＺ（Ｚ）は、サイトからの指示に従いフォルダに保管しているユーザ（Ａ）の当該著作物である匿名保管しているユーザＡの著作物（Ｘ３）を著作物保管番号で検索する。【００３９】  検索後、管理センタからの通知通りの送付先メールアドレスに、相互保管時のパスワードでの開封機能付きの閲覧できない状態のキュリティ設定された当該のユーザ（Ａ）の保管著作物を、ユーザ（Ｂ）は匿名保管しているユーザＡの著作物（Ｘ２）を、ユーザＺ（Ｚ）は匿名保管しているユーザＡの著作物（Ｘ３）を、管理センタからの通知通りにユーザＡ（Ａ）指定の送付先メールアドレスに送信提供する。【００４０】  また図７の通り、同時にサイト管理センタは、管理センタサーバ内の著作物情報ＤＢ（６）に予備保管している、ユーザ（Ｂ）が送信提供する匿名保管しているユーザＡの著作物（Ｘ２）と、ユーザＺ（Ｚ）が送信提供する匿名保管しているユーザＡの著作物（Ｘ３）と、まったく同一の予備保管しているユーザＡの著作物（Ｘ４）をユーザ（Ａ）の保管著作物提出請求内容通り、ユーザ（Ａ）指定の送付先メールアドレスに予備保管時のパスワードでの開封機能付きの閲覧できない状態のキュリティ設定された状態でメール送信提供する。【００４１】  ユーザＡ（Ａ）からみると自身が送信提供して欲しい時に、自身がメールで送信提供して欲しい先に、自身が保管するユーザＡの著作物（Ｘ）とまったく同一内容のものが、インターネットを介した本発明サイトの著作物匿名相互提供機能を利用することにより、閲覧不可、改変不可、修正不可、印刷不可の状態にセキュリティ設定され固定された著作物内容を開示していない状態で、ほぼ同時に他のユーザＢ（Ｂ）とユーザＺ（Ｚ）とサイト管理センタから提供されることになる。
【図面の簡単な説明】
【００４２】
【図１】  本発明の実施形態を示すサイトシステム稼動時の模式を表す図。
【図２】  同ユーザが２者の場合のサイトシステム稼動時の模式を表す図。
【図３】  本発明のサイト構成を表す図。
【図４】  本発明の新規ユーザ登録から著作物の匿名相互保管完了までのユーザ端末画面表示例を示す図。
【図５】  本発明の匿名相互保管しているユーザの著作物の管理画面表示例を示す図。
【図６】  本発明のユーザ側から見た著作物匿名相互保管の流れを示す図。
【図７】  本発明のユーザ側から見た著作物匿名相互提供の流れを示す図  本発明のシステム図
【符号の説明】
【００４３】１    ユーザ端末Ａ
２    ユーザ端末Ｂ
３    サイト利用希望者端末
４    本発明の著作物匿名相互保管機能と著作物匿名相互提供機能具備のアプリケーションサービスプロバイダサイト
５    ユーザ情報ＤＢ
６    著作物情報ＤＢ
７    著作物提出情報保管ＤＢ
８    新規ユーザ情報管理手段
９    著作物情報識別手段
１０  ユーザと保管著作物の照合手段
１１  ユーザ識別手段
１２  匿名著作物相互保管振り分け手段
１３  匿名著作物相互保管情報記録手段
１４  著作物セキュリティ設定手段
１５  著作物予備保管手段
１６  システム利用証発行手段
１７  保管著作物識別番号付与手段
１８  保管著作物提供手段
１９  保管著作物追跡管理手段
２０  ユーザ端末Ｚ
Ａ    ユーザＡ
Ｂ    ユーザＢ
Ｃ    サイト利用希望者
Ｎ    インターネット
Ｑ    ユーザＺの著作物
Ｑ２  ユーザＡが匿名相互保管しているユーザＺの著作物
Ｑ３  ユーザＢが匿名相互保管しているユーザＺの著作物
Ｑ４  サイト管理センタが予備保管しているユーザＺの著作物
Ｓ    サイトのサーバ
Ｓ１  メールサーバ
Ｓ２  サーバ
Ｓ３  加工処理サーバ
Ｘ    ユーザＡの著作物
Ｘ２  ユーザＢが匿名相互保管しているユーザＡの著作物
Ｘ３  ユーザＺが匿名相互保管しているユーザＡの著作物
Ｘ４  サイト管理センタが予備保管しているユーザＡの著作物
Ｙ    ユーザＢの著作物
Ｙ２  ユーザＡが匿名相互保管しているユーザＢの著作物
Ｙ３  ユーザ２が匿名相互保管しているユーザＢの著作物
Ｙ４  サイト管理センタが予備保管しているユーザＢの著作物
Ｚ    ユーザＺ
【図１】
2007241975.tif 000003
【図２】
2007241975.tif 000004
【図３】
2007241975.tif 000005
【図４】
2007241975.tif 000006
【図５】
2007241975.tif 000007
【図６】
2007241975.tif 000008
【図７】
2007241975.tif 000009